(57)【要約】【課題】金融機関の支店において顧客に供される現金封筒を広告媒体として活用する。【解決手段】サーバ１は、インターネットを介して、広告希望者の端末に広告作成用のＷｅｂアプリケーションを提供し、このＷｅｂアプリケーションによって作成された広告内容を広告希望者端末１０より受信する。サーバ１は、銀行に対して、広告内容の可否を確認する。サーバ１は、銀行の確認結果が可の場合、広告内容の印刷データを出力する。印刷装置３は、データ出力部から出力された印刷データを入力として、現金封筒を展開した状態にあるシートに広告を印刷する。折曲加工機４は、印刷機によって印刷された広告印刷済のシートを折り曲げることによって、ある金融機関の一支店に配送すべき現金封筒を作成する。【選択図】図１
2007249788.tif 000002
【特許請求の範囲】
【請求項１】
広告希望者からの依頼に基づいて、金融機関の支店で顧客に供される現金封筒に印刷すべき広告を作成し、当該支店に配布するシステムにおいて、
個々の広告希望者に関して、広告を出すことが許可されている金融機関の支店と、現金封筒に印刷されるべき広告内容と、広告内容を確認する金融機関の承認先とを対応付けて記憶する記憶部と、
インターネットを介して、広告希望者の端末に広告作成用のＷｅｂアプリケーションを提供し、当該Ｗｅｂアプリケーションによって作成された広告内容を広告希望者の端末より受信するとともに、当該受信した広告内容を広告希望者からの受注案件として前記記憶部に追加する広告作成部と、
前記受注案件に対応付けられた金融機関の承認先と広告内容とを前記記憶部から読み出し、前記金融機関の承認先の端末に前記広告内容をインターネットを介して通知することによって、前記広告内容の可否を確認する照会部と、
前記照会部による確認結果が可の場合、前記広告内容の印刷データを出力するデータ出力部と、
前記データ出力部から出力された印刷データを入力として、現金封筒を展開した状態にあるシートに広告を印刷する印刷装置と、
前記印刷機によって印刷された広告印刷済のシートを折り曲げることによって、ある金融機関の一支店に配送すべき現金封筒を作成する折曲加工機と
を有することを特徴とする広告印刷済み現金封筒作成システム。
【請求項２】
前記印刷装置は、ある金融機関の同一支店における複数の受注案件に関する前記印刷データに基づいて、複数種の印刷物を同時に印刷するとともに、当該印刷された複数種の印刷物を所定の順序で交互にソートして出力することを特徴とする請求項１に記載された広告印刷済み現金封筒作成システム。
【請求項３】
前記印刷装置は、前記印刷データに基づいて、前記シートの両面に広告を印刷することを特徴とする請求項１に記載された広告印刷済み現金封筒作成システム。
【請求項４】
前記広告印刷用のＷｅｂアプリケーションには、複数の広告テンプレートが予め用意されており、
前記広告作成部は、前記広告端末者の端末によって指定されたいずれかの広告テンプレートに、前記広告端末者の端末より受信した文字または図形を合成することによって、広告内容を作成することを特徴とする請求項１に記載された広告印刷済み現金封筒作成システム。
【発明の詳細な説明】
【技術分野】
【０００１】
本発明は、金融機関の支店において顧客に供される現金封筒に印刷すべき広告を作成し、これを支店に配布するシステムに関する。
【背景技術】
【０００２】
例えば、特許文献１には、金融機関等を訪れた顧客に広告を広く浸透させるための広告表示システムが開示されている。具体的には、金融機関の営業店に設置された広告制御装置は、広告運用サーバから広告表示テーブルと広告情報とを受信する。この広告情報は、広告主との事前契約によって宣伝すべき地域が考慮されており、その地域に属する営業店に設置されたＡＴＭ（現金自動預払機）およびロビーに設置された表示装置ーの双方に広告が表示される。これにより、ＡＴＭを扱う顧客への広告のみならず、ロビーで取引を待っている顧客への広告も可能になるので、広告の相乗効果が得られる。
【特許文献１】特開２００５−１１５０９９号公報
【発明の開示】
【発明が解決しようとする課題】
【０００３】
ところで、銀行支店等に設置されているＡＴＭの脇には、顧客が出金した紙幣等を入れるために、銀行名などが印刷された現金封筒が用意されている。現金封筒は、他の一般的な封筒と比較して利用者が長期に保存する傾向がある。このような性格から、ある局所的な地域でビジネスを営んでいる者にとって、その地域の銀行支店で配布される現金封筒は広告媒体として極めて魅力的である。その反面、特に地方では銀行に対する公的なイメージが未だ強く、安易な広告掲載は銀行の信用毀損にも繋がりかねないので、銀行自身も慎重にならざるを得ない。
【０００４】
本発明は、かかる事情に鑑みてなされたものであり、その目的は、金融機関の支店において顧客に供される現金封筒を広告媒体として活用することである。
【０００５】
また、本発明の別の目的は、その支店が属する地域に密着したエリア広告が印刷された現金封筒を迅速に作成・配布することである。
【０００６】
さらに、本発明の別の目的は、現金封筒の配布元である金融機関の信用毀損といった事態の発生を未然に防止することである。
【課題を解決するための手段】
【０００７】
かかる課題を解決するために、本発明は、広告希望者からの依頼に基づいて、金融機関の支店で顧客に供される現金封筒に印刷すべき広告を作成し、この支店に配布するシステムを提供する。このシステムは、記憶部と、広告作成部と、照会部と、データ出力部と、印刷装置と、折曲加工機とを有する。記憶部は、個々の広告希望者に関して、広告を出すことが許可されている金融機関の支店と、現金封筒に印刷されるべき広告内容と、広告内容を確認する金融機関の承認先とを対応付けて記憶する。広告作成部は、インターネットを介して、広告希望者の端末に広告作成用のＷｅｂアプリケーションを提供し、このＷｅｂアプリケーションによって作成された広告内容を広告希望者の端末より受信する。また、広告作成部は、受信した広告内容を広告希望者からの受注案件として記憶部に追加する。照会部は、受注案件に対応付けられた金融機関の承認先と広告内容とを記憶部から読み出し、金融機関の承認先の端末に広告内容をインターネットを介して通知することによって、広告内容の可否を確認する。データ出力部は、照会部による確認結果が可の場合、広告内容の印刷データを出力する。印刷装置は、データ出力部から出力された印刷データを入力として、現金封筒を展開した状態にあるシートに広告を印刷する。折曲加工機は、印刷機によって印刷された広告印刷済のシートを折り曲げることによって、ある金融機関の一支店に配送すべき現金封筒を作成する。
【０００８】
ここで、本発明において、印刷装置は、ある金融機関の同一支店における複数の受注案件に関する印刷データに基づいて、複数種の印刷物を同時に印刷するとともに、この印刷された複数種の印刷物を所定の順序で交互にソートして出力することが好ましい。また、印刷装置は、印刷データに基づいて、シートの両面に広告を印刷してもよい。
【０００９】
また、本発明において、広告印刷用のＷｅｂアプリケーションには、複数の広告テンプレートが予め用意されていることが好ましい。この場合、広告作成部は、広告端末者の端末によって指定されたいずれかの広告テンプレートに、広告端末者の端末より受信した文字または図形を合成することによって、広告内容を作成することが好ましい。
【発明の効果】
【００１０】
本発明によれば、金融機関の支店で顧客に供される現金封筒に広告を印刷することで、これを広告媒体として活用することができる。また、金融機関の支店毎に広告希望者を管理し、広告依頼から広告作成に至るまでをオンラインで行うので、地域に密着した広告付きの現金封筒を迅速かつ低コストで作成できる。さらに、広告の作成過程において、その内容を金融機関自身がチェックするので、現金封筒の配布元である金融機関の信用毀損といった事態の発生を未然に防止できる。
【発明を実施するための最良の形態】
【００１１】
図１は、本実施形態にかかる広告印刷済み現金封筒作成システムの構成図である。現金封筒作成システムは、サーバ１と、記憶装置２と、印刷装置３と、折曲加工機４とで構成されており、広告希望者（広告主）からの依頼に基づいて、広告希望者が希望する広告を現金封筒に印刷し、これを銀行支店に配送する。
【００１２】
サーバ１は、インターネットを介して、広告希望者端末１０および銀行端末２０に接続されている。このサーバ１の記憶装置２には、顧客データベースと案件データベースとが格納されている。顧客データベースは、個々の広告希望者を管理するためのものであり、現金封筒作成者がインターネット上に提供するサイトへログインするのに必要な「顧客ＩＤ」および「認証パスワード」の他、「金融機関の支店」、「金融機関の承認先」および「（広告希望業者の）電子メールアドレス」といった情報が互いに対応付けられている。本スキームにおいて、広告希望者が広告を出せるのは、銀行側の承諾を事前に得た銀行支店のみで、それ以外の銀行支店に広告を出すことはできない。このような制約から、事前承諾によって広告を出すことが許可されている銀行支店が「金融機関の支店」として記憶される。例えば、図１の例では、広告主Ａ〜Ｃは銀行支店１のみに広告を出すことができるが、銀行支店２に広告を出すことはできない。この場合、広告主Ａのレコード（顧客データベース中の一レコード）には、「金融機関の支店」として”銀行支店１”が記述される（広告主Ｂ，Ｃについても同様）。また、本スキームにおいて、広告希望者が作成した広告の内容は、広告作成の過程において、銀行のチェックを受けることが前提となっている。そのため、「金融機関の承認先」には、広告内容をチェックすべき旨を通知すべき銀行担当者（銀行端末２０）の電子メールアドレスが記述されている。
【００１３】
一方、案件データベースは、顧客から受注した個々の受注案件を管理するためのものであり、案件毎に採番される「案件番号」、「顧客ＩＤ」、現金封筒に印刷されるべき「広告内容」、「確認結果」などが互いに対応付けられている。このデータベースには、個々の顧客に関する過去の広告内容も履歴データとして一元管理されている。広告希望者は、広告内容を新規に作成するにあたって、過去のデータを適宜活用できる。また、「確認結果」は、銀行側からの確認結果、すなわち広告内容の可否を記憶するために設けられている。なお、顧客データベースおよび案件データベースの記憶内容は、例えば「顧客ＩＤ」によって互いに対応付けられている。
【００１４】
サーバ１を機能的に捉えた場合、サーバ１は、広告作成部と、照会部と、データ出力部とを有する。広告作成部は、インターネットを介して、広告希望者端末１０に広告作成用のＷｅｂアプリケーションを提供し、このＷｅｂアプリケーションによって作成された広告内容を広告希望者の端末より受信する。また、広告作成部は、受信した広告内容を広告希望者からの受注案件として案件データベースに追加する。照会部は、受注案件に対応付けられた銀行の承認先と広告内容とを顧客データベース、案件データベースのそれぞれから読み出し、承認先の銀行端末２０に広告内容をインターネットを介して通知することによって、広告内容の可否を確認する。データ出力部は、照会部による確認結果が可の場合、広告内容の印刷データを出力する。印刷装置３は、データ出力部から出力された印刷データを入力として、現金封筒を展開した状態にあるシートに広告を印刷する。折曲加工機４は、印刷機によって印刷された広告印刷済のシートを折り曲げることによって、ある金融機関の一支店に配送すべき現金封筒を作成する。
【００１５】
つぎに、上述した現金封筒作成システムによる広告作成・配布スキームについて詳述する。
【００１６】
（ステップ１：広告作成）
まず、広告の発注を希望する広告希望者（会員）は、自己の端末１０のブラウザを用いて、現金封筒作成者がインターネット上で提供している現金封筒作成サイト（会員制）にアクセスする。この端末１０より入力された顧客ＩＤ、パスワードが顧客データベースに格納されている本来の情報と一致することを条件としてログインすると、サーバ１は、広告希望者端末１０に対して、広告作成用のＷｅｂアプリケーションを提供する。このＷｅｂアプリケーションは、ユーザの利便性を高めるべく２つの主要な機能を備えている。
（１）多様なテンプレート
図２に示すように、汎用的なデザインレイアウトを規定した複数の広告テンプレートが予め用意されている。ユーザは、ブラウザ上に表示された広告テンプレートの中から好みのものを選択し、指定された箇所に文字を入力したり、図形を貼り付けるだけで、広告内容を簡単に作成できる。
（２）オンラインレビュー
図３に示すように、ユーザによって入力・貼り付けられた文字や記号は、プレビュー画面に表示された現金封筒のイメージに反映される。これにより、ユーザは、プレビュー画面でデザインを随時確認しながら作業を進めることができる。
【００１７】
広告作成用のＷｅｂアプリケーションによって作成された広告内容は、サーバ１によって、記憶部２に格納された案件データベースに新規の受注案件として追加される。具体的には、この案件に関する案件番号を新規に採番され、これに顧客番号および広告内容等を対応付けたレコードが新規に追加される。ただし、この段階では銀行側の承認が得られていないので、広告の印刷には未だ着手しない。
【００１８】
（ステップ２：認証依頼通知）
つぎに、サーバ１は、銀行端末２０に対して、受注案件に係る広告内容に問題がないか否かを問い合わせる照会依頼処理を実行する。具体的には、今回の依頼案件に係る顧客ＩＤを検索キーとして顧客データベースが検索され、該当するレコードに記述された「金融機関の承認先」が参照される。そして、この承認先（電子メールアドレス）に案件番号が明記された確認依頼を電子メールにて通知する。通常、この承認先は、銀行支店に設定されている。
【００１９】
（ステップ３：認証結果受信）
確認依頼メールを受信した銀行担当者（支店担当者）は、現金封筒作成者のサイトに支店担当者権限でアクセスし、メールに記載された案件番号に関する広告内容が近郊内の規定に違反するか否かを確認する。そして、銀行内の社内ルーチンにしたがって、この確認結果が銀行支店から銀行本店に通知される。この通知を受けた銀行本店は、現金封筒作成者のサイトに本店担当者権限でアクセスし、確認結果として”問題あり”または”問題なし”のいずれかを入力するとともに、必要に応じてコメントも入力する（これらは案件データベースに反映される）。なお、銀行サイドでのチェックを複数の関連部署にて行えば、広告内容を一層確実にチェックできる。これを受信したサーバ１は、銀行の確認結果を広告希望者に知らせるべく、顧客データベースより抽出された「（広告希望業者の）電子メールアドレス」に確認結果を電子メールにて通知する。
【００２０】
（ステップ４：広告印刷）
銀行による確認結果が可の場合、サーバ１は、案件データベースを検索して、今回の依頼案件に係る広告内容を抽出し、これを印刷装置３が処理可能な印刷データに変換して出力する。印刷装置３は、印刷データを入力として、例えば図４のように、現金封筒を展開した状態にあるシートに広告を印刷する。ここで、同一の銀行支店に関する受注案件が複数存在する場合、印刷装置３は、複数案件の印刷データを一括処理し、複数種の印刷物を同時に印刷するとともに、この印刷された複数種の印刷物を所定の順序で交互にソートして出力する。例えば、図１に示したように、銀行支店１に関して広告主Ａ〜Ｃによる３つの案件が存在する場合、広告主Ａ〜Ｃ間で不公平が生じないように、同時に印刷された３つの広告内容Ａ〜Ｃがソート出力される。なお、印刷装置３は、印刷データに基づいて、シートの両面に広告を印刷してもよい。
【００２１】
（ステップ５：現金封筒作成）
折曲加工機４は、広告印刷済のシートの束に対して折曲げ・糊付け加工を順次施すことによって、現金封筒の束を作成する。図１に示したように、銀行支店１に配送すべき束は、上述した印刷装置３でのソートによって、Ａ，Ｂ，Ｃの順序で現金封筒が並んでいる。
【００２２】
（ステップ６：配送）
現金封筒の束は、銀行支店毎に梱包され、該当する銀行支店に発送される。これを受領した銀行支店は、例えばＡＴＭの脇に現金封筒を置いておく。これにより、現金封筒を利用する銀行の顧客を対象とした、地域密着型の広告が展開される。
【００２３】
このように、本実施形態によれば、銀行支店で顧客に供される現金封筒に広告を銀行支店単位で印刷することで、これを広告媒体として活用することができる。その際、銀行支店毎に広告許可する広告希望者を管理し、広告の依頼および広告の作成をオンラインで行う。これにより、地域に密着した広告（エリア広告）が印刷された現金封筒を迅速に作成・配布する。その結果、地域の広告希望者にとって極めて魅力的な広告宣伝を低コストで実現できるとともに、銀行も新たな広告収入源を確保できる。
【００２４】
また、広告の作成に先立つステップ２，３において、その内容を銀行自身がチェックするので、現金封筒の配布元である銀行の信用毀損といった事態の発生を未然に防止することができる。
【００２５】
さらに、同一の銀行支店に関する受注案件が複数存在する場合、複数種の広告が順番に並んだ状態で現金封筒が作成される。したがって、この状態で現金封筒を銀行支店に設置するだけで広告主間の公平性が担保できるので（どの広告主が有利／不利になるといった事態が生じない）、銀行支店の省力化を図れるという効果もある。
【００２６】
なお、上述した実施形態では、金融機関の一例として銀行を例に説明したが、本発明はこれに限定されるものではなく、郵便局等を含む金融機関に対しても適用可能である。
【図面の簡単な説明】
【００２７】
【図１】本実施形態にかかる広告印刷済み現金封筒作成システムの構成図
【図２】広告テンプレートの説明図
【図３】広告編集画面の説明図
【図４】印刷されたシートの説明図
【符号の説明】
【００２８】
１  サーバ
２  記憶装置
３  印刷装置
４  折曲加工機
１０  広告希望者端末
２０  銀行端末
【図１】
2007249788.tif 000003
【図２】
2007249788.tif 000004
【図３】
2007249788.tif 000005
【図４】
2007249788.tif 000006